(57)【特許請求の範囲】
【請求項１】
ペットボトルのネック部に設けられたフランジ部の下側に係止される係止部と、
該係止部に設けられ、前記係止部によって係止された前記ペットボトルを携帯可能な部位に掛止する掛止部と、
を備えたペットボトル用携帯具において、
前記係止部は、係止部本体の一部が切り離された切離し部を備え、
前記切離し部の対向する２つの端部は、切り離された状態から前記係止部本体を弾性変形させることにより係合する係合部をそれぞれ有し、
前記係止部の２つの前記端部が係合した際に、前記係止部の内側に前記ネック部の外径よりも大きく、且つ前記フランジ部の外径よりも小さい円形のネック通し穴を形成させることが可能であることを特徴とするペットボトル用携帯具。
【請求項２】
ペットボトルのネック部に設けられたフランジ部の下側に係止される係止部と、
該係止部の外側に設けられ、紐通し穴を有する紐通し部と、を備え、
前記係止部を前記フランジ部の下側に係止させるとともに、前記紐通し穴に紐を通して、前記ペットボトルを肩から吊下げて携帯するためのペットボトル用携帯具において、
前記係止部は、係止部本体の一部が切り離された切離し部を備え、
前記切離し部の対向する２つの端部は、切り離された状態から前記係止部本体を弾性変形させることにより係合する係合部をそれぞれ有し、
前記係止部の２つの前記端部が係合した際に、前記係止部の内側に前記ネック部の外径よりも大きく、且つ前記フランジ部の外径よりも小さい円形のネック通し穴を形成させることが可能であることを特徴とするペットボトル用携帯具。
【請求項３】
前記紐通し部は、前記係止部の外周に、前記ネック部通し穴の中心位置に対して対称配置されて設けられ、
前記切離し部は、対称配置された２つの前記紐通し部の何れか一方に近づけられて設けられていることを特徴とする請求項２記載のペットボトル用携帯具。
【請求項４】
前記ネック部通し穴と前記紐通し穴とを連通させる溝部を備えたことを特徴とする請求項２又は３記載のペットボトル用携帯具。
【請求項５】
前記係止部は、前記端部同士が係合した場合に、略円環体を呈するように形成されていることを特徴とする請求項１〜４の何れかに記載のペットボトル用携帯具。
【請求項６】
前記端部同士は重なるように係合され、外側に位置する前記端部の先端に、前記係合部から突出する突出部が設けられ、
前記係合部同士の係合は、該突出部に所定の方向から力を加えることにより解除可能に構成されていることを特徴とする請求項１〜５の何れかに記載のペットボトル用携帯具。
【発明の詳細な説明】
【０００１】
【発明の属する技術分野】
この発明は、ペットボトルを肩から吊り下げて携帯するためのペットボトル用携帯具に関する。
【０００２】
【従来の技術】
近年、ジュース、或いはお茶等の飲料水を入れる容器として、ペットボトルが急速に普及している。ペットボトルは、従来の瓶或いは缶に比べて軽量で、且つ栓の開閉が容易であるという点が大きな特徴であり、飲み残した場合でも閉栓し、その後、適宜、開栓して飲むことが出来る。
ところで、ペットボトルを持ち運ぶ場合には、通常、手に持つか、或いはカバン等に収納するかしかなく、前者の場合には手がふさがり不便であり、後者の場合にはカバンから出す必要があり面倒である。
【０００３】
そこで、ペットボトルを肩等にかけて持ち運ぶペットボトル用携帯具が考えられている。このようなペットボトル用携帯具として、例えば、特開平１０−１５５６４１号公報に開示されたものが知られている。
この特開平１０−１５５６４１号公報に開示されたペットボトル用携帯具１００は、図４、５に示すように、プラスチック製のものであり、小判形状を有している。そして、中央に穴部１０１が設けられ、この穴部１０１の両サイドには小径穴１０２、１０２が設けられている。穴部１０１と小径穴１０２は溝部１０３によってつながれている。
前記穴部１０１の内径は、ペットボトル１１０の上リング１１１（本願のフランジ部に相当）の外径よりもわずかに小さいが、ペットボトル用携帯具１００がプラスチック製であるとともに溝部１０３が形成されているので弾性変形しながらペットボトル１１０の飲み口１１２から上リング１１１の下のネックに挿入されるようになっている。
前記小径穴１０２は、紐１２０の外径よりわずかに大きく、結び目を形成させることにより、図５のように肩から吊すことが出来るようになっている。
【０００４】
また、その他のペットボトル用携帯具として、図６、或いは図７に示したものも知られている。
図６に示したペットボトル用携帯具２００は、ゴム製の係止リング２０１と、この係止リング２０１に両端が結ばれた環状紐２０２と、からなり、係止リング２０１の内径は、ペットボトル（図示省略）の上リングの外径よりわずかに小さくされていて、係止リング２０１を手で伸ばしてペットボトルの飲み口からペットボトルの上リングの下のネックに挿入されるようになっている。
【０００５】
図７に示したペットボトル用携帯具３００は、縮径可能な環状紐３０１と、両端部に縮径した環状紐３０１を通すことが可能な穴部３０２を有する弧状体３０３と、からなり、環状紐３０１と弧状体３０３の間にペットボトル（図示省略）のネックを位置させ、弧状体３０３をネックの大きさに合わせて移動させることにより、ペットボトルを吊下げ可能としたものである。
【０００６】
【発明が解決しようとする課題】
しかしながら、上記特開平１０−１５５６４１号公報で開示されたペットボトル用携帯具の場合、ペットボトル１１０の上リング１１１下のネック１１２に穴部１０１を位置させるためには、ペットボトル１１０の飲み口から穴部１０１の内径より大きい上リング１１１の外径を通さなければならないが、通しやすくすると、ペットボトル携帯時にも抜けやすくなるので、ある一定水準以上の抵抗力が必要である。従って、上リング１１１を通すためにはある程度の力を必要とし、特に、外す時は、上リング１１１との段差が大きくかなりの力が必要であった。
また、ペットボトル用携帯具１００自体も大きいので、よく目立つし、更にそのままの状態では飲みにくいという問題点もある。
図６に示したペットボトル用携帯具２００も係止リング２０１を伸ばさないとペットボトルの脱着が出来ないので、煩雑であるとともに、上記同様にかなりの力が必要であるという問題点がある。
図７に示したペットボトル用携帯具３００の場合には、ペットボトルの締め付けは環状紐３０１が弧状体３０３の穴部３０４によって縮径される際の圧縮力によるので、ペットボトルが抜けやすいという問題点があった。
【０００７】
そこで、本発明は上記事情を鑑みてなされたものであって、ペットボトルの着脱が容易で、且つ確実に装着することが可能なペットボトル用携帯具を提供することを目的とする。
【０００８】
【課題を解決するための手段】
前記問題点を解決するため、
請求項１記載の発明は、ペットボトルのネック部に設けられたフランジ部の下側に係止される係止部と、
該係止部に設けられ、前記係止部によって係止された前記ペットボトルを携帯可能な部位に掛止する掛止部と、
を備えたペットボトル用携帯具において、
前記係止部は、係止部本体の一部が切り離された切離し部を備え、
前記切離し部の対向する２つの端部は、切り離された状態から前記係止部本体を弾性変形させることにより係合する係合部をそれぞれ有し、
前記係止部の２つの前記端部が係合した際に、前記係止部の内側に前記ネック部の外径よりも大きく、且つ前記フランジ部の外径よりも小さい円形のネック通し穴を形成させることが可能であることを特徴としている。
【０００９】
また、請求項２記載の発明は、ペットボトルのネック部に設けられたフランジ部の下側に係止される係止部と、
該係止部の外側に設けられ、紐通し穴を有する紐通し部と、を備え、
前記係止部を前記フランジ部の下側に係止させるとともに、前記紐通し穴に紐を通して、前記ペットボトルを肩から吊下げて携帯するためのペットボトル用携帯具において、
前記係止部は、係止部本体の一部が切り離された切離し部を備え、
前記切離し部の対向する２つの端部は、切り離された状態から前記係止部本体を弾性変形させることにより係合する係合部をそれぞれ有し、
前記係止部の２つの前記端部が係合した際に、前記係止部の内側に前記ネック部の外径よりも大きく、且つ前記フランジ部の外径よりも小さい円形のネック通し穴を形成させることが可能であることを特徴としている。
【００１０】
請求項１又は２記載の発明によれば、係止部の対向する２つの端部が離れた状態でペットボトルのフランジ部の下側を係止部の内側に位置させ、係止部本体を弾性変形させて端部同士が係合されることにより、ペットボトルが係止部に係止されるので、ペットボトルへの取り付け、取り外しが切離し部の端部同士の係合、とその係合解除によって行われることとなって、ペットボトルへの係止部の着脱を容易に行うことが出来る。
即ち、係止部本体を弾性変形させてその反力により切離し部を係合させたり、切り離したりすることにより係止部をペットボトルに着脱出来るので、従来のようなフランジ部を一旦越えないと係止部が取り付けられないものに比べて簡単に出来る。
【００１１】
ここで、係合部の形状は、凹部と凸部による係合であってもよし、或いは鉤状のものを互いに係合させるものであってもよい。
また、掛止部の構成としては、例えば、紐によって肩に掛止するものがあるが、これ以外にベルトや鞄などに掛止する構成のものであってもよい。この場合には、紐でなく、鉤状のものやフープ状のもので掛止させてもよい。
携帯可能な部位とは、例えば、体の一部や、或いは鞄等の携帯物の一部等をいい、持ち運び可能な部位であればどこでもよい。
【００１２】
請求項３記載の発明は、請求項２記載のペットボトル用携帯具において、
前記紐通し部は、前記係止部の外周に、前記ネック部通し穴の中心位置に対して対称配置されて設けられ、
前記係合部は、対称配置された２つの前記紐通し部の何れか一方に近づけられて設けられていることを特徴としている。
【００１３】
請求項３記載の発明によれば、請求項２記載の発明による効果の他、特に、紐通し部は、係止部の外周にネック部通し穴の中心位置に対して対称配置されて設けられ、係合部は、対称配置された２つの紐通し部の何れか一方に近づけられて設けられているので、係合部同士が外れにくいという利点がある。
【００１４】
請求項４記載の発明は、請求項２又は３に記載のペットボトル用携帯具において、
前記ネック部通し穴と前記紐通し穴とを連通させる溝部を備えたことを特徴としている。
【００１５】
請求項４記載の発明によれば、請求項２又は３に記載の発明によって得られる効果に加えて、ネック部通し穴と紐通し穴とを連通させる溝部により、紐をネック通し穴から紐通し穴に容易に挿入出来る。
【００１６】
請求項５記載の発明は、請求項１〜４の何れかに記載のペットボトル用携帯具において、
前記係止部は、前記端部同士が係合した場合に、略円環体を呈するように形成されていることを特徴としている。
【００１７】
請求項５記載の発明によれば、請求項１〜４の何れかに記載の発明による効果の他、特に、係止部は、端部同士が係合した場合に、略円環体を呈するように形成されているので、ペットボトル用携帯具自体を軽量、且つ目立たないようにすることが出来る。
【００１８】
請求項６記載の発明は、請求項１〜５の何れかに記載のペットボトル用携帯具において、
前記端部の係合部同士が係合した際に外側に位置する前記端部の先端に、前記係合部から突出する突出部が設けられ、
前記係合部同士の係合は、該突出部に所定の方向に力を加えることにより解除可能に構成されていることを特徴としている。
【００１９】
請求項６記載の発明によれば、請求項１〜５の何れかに記載の発明による効果に加えて、特に、端部の係合部同士が係合した際に外側に位置する端部の先端に係合部から突出して設けられた突出部に対し所定の方向から力を加えることにより係合部同士の係合を解除できるので、ペットボトルから係止部を外すことをワンタッチで容易に行える。
【００２０】
【発明の実施の形態】
以下に、本発明に係るペットボトル用携帯具の実施の形態について図面を参照しながら説明する。
図１は、本発明に係るペットボトル用携帯具の切離し部が切り離された状態を示した平面図であり、図２は、図１のペットボトル用携帯具の切離し部が係合された状態を示した平面図である。
また、図３は、図１および図２のペットボトル用携帯具の使用状態を模式的に示した図である。
【００２１】
図１〜３に示すペットボトル用携帯具１は、ペットボトル１０のネック部１１に設けられたフランジ部１２の下側に係止される係止部２と、該係止部２の外側に設けられ、紐通し穴３ａを有する紐通し部３と、を備え、前記係止部２を前記フランジ部１２の下側に係止させるとともに、前記紐通し穴３ａに紐２０を通して、前記ペットボトル１０を肩から吊下げて携帯するためのものである。
前記係止部２は、係止部本体２１の一部が切り離された切離し部２２を備えている。
前記切離し部２２の対向する２つの端部２２ａ、２２ｂは、切り離された状態から前記係止部本体２１を弾性変形させることにより係合する凸状係合部２３ａと、凹状係合部２３ｂをそれぞれ有している。そして、前記係止部２の２つの前記端部２２ａ、２２ｂが係合した際に、前記係止部２の内側に前記ネック部１１の外径よりも大きく、且つ前記フランジ部１２の外径よりも小さい円形のネック部通し穴２４を形成させることが出来るようになっている。
【００２２】
ここで、ペットボトル１０のネック部１１の外径、フランジ部１２の外径は、飲料メーカー各社で異なるので、それらに合わせて設定されるが、なるべく多くのメーカーのものを使用出来る範囲に限定することが望ましい。
また、前記係止部２は、前記端部２２ａ、２２ｂ同士が係合した場合に、係止部本体２１が、略円環体を呈するように形成されている。従って、ペットボトル用携帯具自体を軽量、且つ目立たないようにすることが出来る。
【００２３】
前記紐通し部３（３１、３２）は、前記係止部２の係止部本体２１の外周に、前記ネック部通し穴２４の中心位置に対して対称配置されて設けられ、前記切離し部２２は、前記紐通し部３１の方に近づけられて設けられている。
また、前記端部２２ａ、２２ｂ同士は重なるように係合され、前記凸状係合部２３ａと凹状係合部２３ｂ同士が係合した際に外側に位置する前記端部２２ｂの先端に、前記凹状係合部２３ｂから突出する突出部２５が設けられている。
そして、前記係合部２３ａ、２３ｂ同士の係合は、該突出部２５に前記凸状係合部２３ａと凹状係合部２３ｂの係合面ａに沿って外れる方向に力を加えることにより解除できるようになっている。従って、ペットボトル１０から係止部２を外すことがワンタッチで容易に出来る。
【００２４】
また、前記ネック部通し穴２４と前記紐通し穴３ａとを連通させる溝部４を備え、この溝部４により、結び目２０ａを付けた紐２０でもネック部通し穴２４から紐通し穴３ａに容易に挿入出来る。
また、前記係止部２および前記紐通し部３は、プラスチックを一体成形されたものから出来ている。従って、ペットボトル用携帯具の製造が容易に行える。
【００２５】
次に、上記説明したペットボトル用携帯具１の使い方について説明する。
まず、前記紐通し部３の紐通し穴３ａに結び目２０ａのついた紐２０を溝部４から通す。
次いで、係止部２の対向する２つの端部２２ａ、２２ｂが離れた状態でペットボトル１０のフランジ部１２の下側を係止部２の内側に位置させた後、係止部本体２１を弾性変形させて前記端部２２ａ、２２ｂの係合部２３ａ、２３ｂ同士を係合させる。
次いで、この状態で紐２０を肩から吊すが、この際、ペットボトル１０のフランジ部１２が係止部２に係止されるので、ペットボトル１０が落ちることなく携帯することが出来る。
そして、ペットボトル１０から前記ペットボトル用携帯具１を取り外すときには、前記突出部２５に前記凸状係合部２３ａと凹状係合部２３ｂの係合面ａに沿って外れる方向に力を加えて係合部２３ａ、２３ｂ同士の係合を解除することにより行う。
なお、紐２０は、係止部２をペットボトル１０のフランジ部１２の下側に係止させた後に紐通し穴３ａに通してもよい。
【００２６】
以上説明した本発明に係るペットボトル用携帯具１によれば、係止部２の対向する２つの端部２２ａ、２２ｂが離れた状態でペットボトル１０のフランジ部１２の下側を係止部２の内側に位置させ、係止部本体２１を弾性変形させてその反力によって前記端部２２ａ、２２ｂ同士が係合されることにより、ペットボトル１０が係止部２に係止されるので、ペットボトル１０への取り付け、取り外しが切離し部２２の端部２２ａ、２２ｂ同士の係合、とその係合解除によって行われることとなって、ペットボトル１０に係止部２を着脱することを容易に行うことが出来る。
即ち、係止部本体２１を弾性変形させてその反力により切離し部２２を係合させたり、切り離したりすることにより係止部２をペットボトル１０に着脱出来るので、従来のようなフランジ部１２を一旦越えないと係止部２が取り付けられないものに比べて着脱が簡単に出来る。
【００２７】
なお、ペットボトル用携帯具１の形状、或いは色等は上記実施の形態のものに限定されるものではなく、適宜変更してよい。
また、上記実施の形態では、紐によって肩に掛止する構成としたが、ベルトや鞄などに掛止する構成のものであってもよい。この場合には、紐でなく、鉤状のものやフープ状のもので掛止させてもよい。
【００２８】
【発明の効果】
請求項１又は２記載の発明によれば、係止部の対向する２つの端部が離れた状態でペットボトルのフランジ部の下側を係止部の内側に位置させ、係止部本体を弾性変形させて端部同士が係合されることにより、ペットボトルが係止部に係止されるので、ペットボトルへの取り付け、取り外しが切離し部の端部同士の係合、とその係合解除によって行われることとなって、ペットボトルへの係止部の着脱を容易に行うことが出来る。
即ち、係止部本体を弾性変形させてその反力により切離し部を係合させたり、切り離したりすることにより係止部をペットボトルに着脱出来るので、従来のようなフランジ部を一旦越えないと係止部が取り付けられないものに比べて簡単に出来る。
【００２９】
請求項３記載の発明によれば、請求項２記載の発明による効果の他、特に、紐通し部は、係止部の外周にネック部通し穴の中心位置に対して対称配置されて設けられ、係合部は、対称配置された２つの紐通し部の何れか一方に近づけられて設けられているので、係合部同士が外れにくいという利点がある。
【００３０】
請求項４記載の発明によれば、請求項２又は３に記載の発明によって得られる効果に加えて、ネック部通し穴と紐通し穴とを連通させる溝部により、紐をネック通し穴から紐通し穴に容易に挿入出来る。
【００３１】
請求項５記載の発明によれば、請求項１〜４の何れかに記載の発明による効果の他、特に、係止部は、端部同士が係合した場合に、略円環体を呈するように形成されているので、ペットボトル用携帯具自体を軽量、且つ目立たないようにすることが出来る。
【００３２】
請求項６記載の発明によれば、請求項１〜５の何れかに記載の発明による効果に加えて、特に、端部の係合部同士が係合した際に外側に位置する端部の先端に係合部から突出して設けられた突出部に対し所定の方向から力を加えることにより係合部同士の係合を解除できるので、ペットボトルから係止部を外すことをワンタッチで容易に行える。
【図面の簡単な説明】
【図１】本発明に係るペットボトル用携帯具の切離し部が切り離された状態を示した平面図である。
【図２】図１のペットボトル用携帯具の切離し部が係合された状態を示した平面図である。
【図３】図１および図２のペットボトル用携帯具の使用状態を模式的に示した図である。
【図４】特開平１０−１５５６４１号公報で開示されたペットボトル用携帯具の平面図である。
【図５】図４に示したペットボトル用携帯具の使用状態を模式的に示した図である。
【図６】従来のペットボトル用携帯具の斜視図である。
【図７】図６と異なる従来のペットボトル用携帯具の斜視図である。
【符号の説明】
１    ペットボトル用携帯具
２    係止部
３（３１、３２）    紐通し部
３ａ  紐通し穴
４    溝部
１０    ペットボトル
１１    ネック部
１２    フランジ部
２０    紐
２１    係止部本体
２２（２２ａ、２２ｂ）    端部
２３（２３ａ、２３ｂ）    係合部
２４    ネック部通し穴
２５    突出部
【図１】
0003647661.tif 000002
【図２】
0003647661.tif 000003
【図３】
0003647661.tif 000004
【図４】
0003647661.tif 000005
【図５】
0003647661.tif 000006
【図６】
0003647661.tif 000007
【図７】
0003647661.tif 000008